(57)【特許請求の範囲】
【請求項１】
ＣＡＴＶ局と、中継装置と、端末装置とを有するＣＡＴＶネットワークシステムにおいて、
前記ＣＡＴＶ局と前記中継装置とを接続する第１及び第２の光ファイバケーブルと、
前記中継装置に接続された同軸ケーブルと複数個の延長光ファイバケーブルを有し、
前記ＣＡＴＶ局は、
中央装置と、
当該中央装置からのＴＶ信号である電気信号を光信号に変換して前記第１の光ファイバケーブルに出力するＥ／Ｏ変換器と、
前記中央装置からのデータ信号である電気信号を光信号に変換して前記第２の光ファイバケーブルに出力するＥ／Ｏ変換器と、
前記第２の光ファイバケーブルのデータ信号である光信号を電気信号に変換して前記中央装置に出力するＯ／Ｅ変換器とを有し、
前記中継装置は、
前記第１の光ファイバケーブルの光信号を電気信号に変換して、同軸ケーブルに出力するＯ／Ｅ変換器と、
前記第２の光ファイバケーブルの光入出力信号と前記複数個の延長光ファイバケーブルの光入出力信号とを分配／統合するイーサネット（登録商標）仕様の光集配装置とを有し、
前記端末装置は、
その入力部に光信号と電気信号を相互に変換する光電変換器を備えて前記延長光ファイバケーブルに直接接続されるか、
光信号と電気信号とを互いに変換可能で、複数個の同軸ケーブルの電気入出力信号と前記延長光ファイバケーブルの光入出力信号とを分配／統合する、前記延長光ファイバケーブルに接続された光電ハブと同軸ケーブルにより接続され、
ＴＶ信号は、前記ＣＡＴＶ局から前記第１の光ファイバケーブルと前記中継装置を介して前記同軸ケーブルに伝送されるものとし、
データ信号を、前記延長光ファイバケーブルと前記第２の光ファイバケーブルとを介して各端末間で双方向伝送可能としたことを特徴とするＣＡＴＶネットワークシステム。
【請求項２】
前記ＣＡＴＶ局は光信号を分配／統合するイーサネット仕様の光集配装置を備え、
前記予備線の光ファイバケーブルを介して前記データ信号を前記光集配装置によって光信号をオン・オフするベースバンド方式で送受信することを特徴とする請求項１に記載のＣＡＴＶネットワークシステム。
【請求項３】
第１の前記中継装置の出力と第２の前記中継装置の入力間に予備の光ファイバケーブルを有し、
第２の前記中継装置は、前記第２の光ファイバケーブルの出力低下時には、第１の前記中継装置の出力である予備の光ファイバケーブルに入力を切り替えることを特徴とする請求項１に記載のＣＡＴＶネットワークシステム。
【請求項４】
第１の前記中継装置の出力と、第２の前記中継装置の前記延長光ファイバケーブルに接続された端末装置の入力との間に予備の光ファイバケーブルを有し、
前記端末装置は、前記延長光ファイバケーブルの出力低下時には、第１の前記中継装置の出力である予備の光ファイバケーブルに入力を切り替えることを特徴とする請求項１に記載のＣＡＴＶネットワークシステム。
【発明の詳細な説明】
【０００１】
【発明の属する技術分野】
本発明は、中央装置と複数の端末装置からなるネットワークシステムに関する。特に、予備の光ファイバケーブルを使用することにより各端末装置から流合される流合ノイズを低減させて送受信するネットワークシステム及びその中継装置並びにその端末装置に関する。
更に、通常のデータ信号の伝送に使用されている主線に対して、通常のデータ伝送には使用されていない予備線を効率的に配置することで、経路の何れかに断線が生じてもネットワークが遮断されない信頼性の高いネットワークシステムに関する。
本発明は、ＣＡＴＶセンターと各家庭あるいは各集合住宅を結ぶＣＡＴＶシステムに適用される。
【０００２】
【従来の技術】
従来より、ＣＡＴＶシステムを利用したデータ通信ネットワークシステムがある。それは、一般にローカルエリアネットワーク（以下、ＬＡＮという）と呼ばれ、市中に配備されたＣＡＴＶの幹線ケーブルに複数の端末装置を接続し、端末装置間又は端末装置と中央装置との間でデータを送受信するシステムである。ここでデータは、例えば文字データ、映像データ、音声データ等である。
従来のＣＡＴＶネットワークシステムを図８に示す。ＣＡＴＶネットワークシステムは、ＣＡＴＶ局２０に設けられた中央装置２２、中央装置２２に接続された幹線ケーブル２５、幹線ケーブル２５の所定個所に設けられた中継装置３０、中継装置３０から分岐された分岐ケーブル２４、分岐ケーブル２４に接続された集合住宅等の構内ネットワーク５０および家庭内ネットワーク４０から構成される。尚、ＣＡＴＶ局はインターネット・インターフェース２１を有しており、中央装置２２はそれを介してインターネット網１０に接続することもできる。
【０００３】
構内ネットワーク５０は、伝搬した高周波信号を双方向に増幅して送出する増幅器５１、増幅器５１で増幅された信号を分岐／分配する分岐／分配器５５、分岐／分配器５５に接続された端末装置５２およびＴＶ受信装置５３から構成される。尚、通常構内ネットワーク５０内では、複数の端末装置５２およびＴＶ受信装置５３が接続されている。
又、家庭内ネットワーク４０は、分岐ケーブル２４を伝搬した高周波信号を分岐／分配する分岐／分配器４１、分岐／分配器４１に接続された端末装置４２、ＴＶ受信装置４３から構成される。両システムにおいて端末装置５２、４２には、高周波信号をベースバンド信号に、あるいはベースバンド信号を高周波信号に変復調するケーブルモデム５４、４４を備えている。尚、ここで端末装置５２、４２は例えばコンピュ−タ装置である。
【０００４】
このＣＡＴＶネットワークシステムで用いられる伝送方式は、高周波信号（ＲＦ信号）を周波数多重化して伝送するブロードバンド方式である。上り高周波信号には１０ＭHz〜５５ＭHz帯が、下り高周波信号には７０ＭHz〜７７０ＭHz帯が割り当てられ、上記両帯域を用いてデータ信号が上り信号と下り信号で送受信されている。
【０００５】
【発明が解決しようする課題】
しかしながら、従来のＣＡＴＶネットワークシステムを用いたＬＡＮでは、ＣＡＴＶ局２０ヘの上り高周波信号に、加入者のＴＶ受信装置４２，５３から点線で示すように、電気的ノイズ（以下、流合ノイズ）が混入する。この場合、通信回線としての品質が劣化し、符号誤りなく中央装置２２にデータが伝送されない可能性がある。特に、構内ネットワーク５０においてはＴＶ受信装置数が多いため流合ノイズレベルが上昇し、場合によってはＣＡＴＶインターネットサービスができない場合があった。
【０００６】
又、現状のＣＡＴＶネットワークシステムにおいては、例えば災害時にある個所で伝送路が切断された場合、それより下流の端末装置はデータの送受信ができなくなるという欠点があった。例えば、分岐ケーブル２４がＰ点で切断されると構内ネットワーク５０においてシステムが停止し、例えば幹線ケーブル２５のＱ点で切断されると、それより下流の家庭内ネットワークシステム４０やそれ以降の幹線ケーブル２５に接続されている端末装置はデータの送受信ができなくなるという欠点があった。
【０００７】
本発明は上述した問題点を解決するためになされたものであり、その目的は既設の予備の光ファイバケーブルを使用し、その光ファイバケーブルを各端末装置まで延長することにより、高周波変調信号に起因する流合雑音をなくして高品質なＬＡＮとすることである。
又、他の目的は、既設又は新設の予備線の光ファイバケーブルで各中継装置を互いに接続、及び予備線の光ファイバケーブルで端末装置を複数の中継装置と接続して、データ信号の伝送経路を複線とすることでフェイルセーフを可能とするＬＡＮとすることである。
【０００８】
【課題を解決するための手段及び作用・効果】
上記の課題を解決するために、請求項１に記載のＣＡＴＶネットワークシステムは、ＣＡＴＶ局と、中継装置と、端末装置とを有するＣＡＴＶネットワークシステムにおいて、前記ＣＡＴＶ局と前記中継装置とを接続する第１及び第２の光ファイバケーブルと、前記中継装置に接続された同軸ケーブルと複数個の延長光ファイバケーブルを有し、前記ＣＡＴＶ局は、中央装置と、当該中央装置からのＴＶ信号である電気信号を光信号に変換して前記第１の光ファイバケーブルに出力するＥ／Ｏ変換器と、前記中央装置からのデータ信号である電気信号を光信号に変換して前記第２の光ファイバケーブルに出力するＥ／Ｏ変換器と、前記第２の光ファイバケーブルのデータ信号である光信号を電気信号に変換して前記中央装置に出力するＯ／Ｅ変換器とを有し、前記中継装置は、前記第１の光ファイバケーブルの光信号を電気信号に変換して、同軸ケーブルに出力するＯ／Ｅ変換器と、前記第２の光ファイバケーブルの光入出力信号と前記複数個の延長光ファイバケーブルの光入出力信号とを分配／統合するイーサネット仕様の光集配装置とを有し、前記端末装置は、その入力部に光信号と電気信号を相互に変換する光電変換器を備えて前記延長光ファイバケーブルに直接接続されるか、光信号と電気信号とを互い変換可能で、複数個の同軸ケーブルの電気入出力信号と前記延長光ファイバケーブルの光入出力信号とを分配／統合する、前記延長光ファイバケーブルに接続された光電ハブと同軸ケーブルにより接続され、ＴＶ信号は、前記ＣＡＴＶ局から前記第１の光ファイバケーブルと前記中継装置を介して前記同軸ケーブルに伝送されるものとし、データ信号を、前記延長光ファイバケーブルと前記第２の光ファイバケーブルとを介して各端末間で双方向伝送可能としたことを特徴とする。
【０００９】
従来、中央装置への伝送時、端末装置は所定周波数の高周波信号、例えば３３ＭＨｚの高周波信号をイーサネット仕様の信号に基づくデータ信号で変調して幹線ケーブルに送出する。この時、ＴＶ受信装置等のアナログ装置から高周波ノイズが出力され、各需要家からの高周波ノイズが幹線ケーブルにおいて流合される。特に、多数のＴＶ受信装置の数が多い、例えば集合住宅内ネットワークから送出されるノイズレベルの上昇が顕著である。
本発明では、ＴＶ信号は中継装置を介して主線の光ファイバケーブルから同軸ケーブルを介してＴＶ受信装置等の各端末装置に伝送される。
又、データ信号は、予備線の光ファイバケーブルと中継装置から延長された延長光ファイバケーブルを用いて、光信号で伝送される。即ち、従来の様に同軸ケーブルを用いて電気信号（高周波信号）で伝送していないので、電気的ノイズの流合がなく、データ伝送が正確となる。
【００１０】
又、ＴＶ信号とデータ信号は異なる伝送路に伝送される。よって、ＴＶ信号に周波数帯域を制限されることなくデータ信号を伝送できる。即ち、より多くのチャネルでデータを送受信することが可能となる。
従って、市中に既設の予備線の光ファイバケーブルを用いてＣＡＴＶネットワークシステムを形成すれば、高品質な大規模ＬＡＮが構築できる。尚、上記データは、映像データ、画像データ、音声データ、文字データの全てを含む。
【００１１】
又、請求項２に記載のＣＡＴＶネットワークシステムによれば、ＣＡＴＶ局は光信号を分配／統合するイーサネット仕様の光集配装置を備え、それにより予備線の光ファイバケーブルを介してデータ信号を光信号がオン・オフされてベースバンド方式で送受信することを特徴とする。
中央装置はイーサネット仕様の光集配装置を備えて、それによりデータは光信号をオン・オフさせるベースバンド信号で送受信する。イーサネット仕様の光集配装置は、例えば従来の電気的集配装置の入力部と出力部に光電変換器を備えた装置である。よって、従来のＬＡＮで使用されるイーサネット仕様がそのまま使用できる。よって、安価で互換性に優れたＣＡＴＶネットワークシステムが実現できる。
【００１２】
又、ＣＡＴＶネットワークシステムに用いられる中継装置は、ＴＶ信号を伝送するＴＶ信号伝送装置に加え、イーサネット仕様の光集配装置を備える。
ＴＶ信号伝送装置は、例えば光電変換器とその光電変換器で変換された電気信号を増幅する増幅器である。これにより、ＴＶ信号が下流の例えばＴＶ受信装置に伝送される。
これに加え、中継装置には上記光集配装置が備えられている。この光集配装置も、例えば従来の電気的集配装置の入力と出力に光電変換器を備えた装置である。よって、従来のＬＡＮで使用されるイーサネット仕様の信号がそのまま使用できる。よって、ＴＶ信号を伝達しデータ信号を送受信するＣＡＴＶネットワークシステムを実現する中継装置となる。
【００１３】
又、ＣＡＴＶネットワークシステムに用いられる端末装置は、その入力部に光信号と電気信号を相互に変換する光電変換器を備える。
光電変換器は、光信号と電気信号を相互に変換する。これにより、予備の延長光ファイバケーブルから入力された光信号は電気信号に変換されて端末装置に受信される。逆に、端末装置から送信された電気信号は、その光電変換器によって光信号に変換されて上記延長光ファイバケーブルに送信される。そして、データ信号が上記中央装置に伝送される。
よって、ＣＡＴＶネットワークシステムを実現する端末装置となる。
【００１４】
伝送路に光ファイバケーブルを使用した中央装置と複数の端末装置からなるＣＡＴＶネットワークシステムであって、中継装置を介して中央装置と端末装置又は端末装置間でデータ信号が送受信されるＣＡＴＶネットワークシステムであって、光ファイバケーブルは主線の光ファイバケーブルと予備線の光ファイバケーブルを備えている。
そして、主線の光ファイバケーブルの出力低下時には、データ信号は予備線の光ファイバケーブルに切り換えられて伝送されることを特徴とする。
この構成により、例えばＣＡＴＶネットワークシステムの何れかの個所で例えば断線等の障害が生じても、中央装置と端末装置又は端末装置間では予備線の光ファイバケーブルを介して確実にデータが送受信される。
即ち、障害に対してもシステムが停止し難い頑強なＣＡＴＶネットワークシステムとなる。
【００１５】
又、請求項３に記載のＣＡＴＶネットワークシステムによれば、第１の前記中継装置の出力と第２の前記中継装置の入力間に予備の光ファイバケーブルを有し、第２の前記中継装置は、前記第２の光ファイバケーブルの出力低下時には、第１の前記中継装置の出力である予備の光ファイバケーブルに入力を切り替えることを特徴とする。
この構成により、例えばこの中継装置の上流の主線の光ファイバケーブルに断線があり、主線の光ファイバケーブルの出力が低下した場合であっても、この中継装置は伝送路を予備線の光ファイバケーブルに切り換えて、他の中継装置を介してデータ信号を送受信する。
即ち、中継装置上流の障害発生に対して、フェイルセーフが作動するＣＡＴＶネットワークシステムとなる。
【００１６】
又、請求項４に記載のＣＡＴＶネットワークシステムによれば、第１の前記中継装置の出力と、第２の前記中継装置の前記延長光ファイバケーブルに接続された端末装置の入力との間に予備の光ファイバケーブルを有し、前記端末装置は、前記延長光ファイバケーブルの出力低下時には、第１の前記中継装置の出力である予備の光ファイバケーブルに入力を切り替えることを特徴とする。
この構成は、１つの端末装置が２つの異なる系統の中継装置と接続される構成である。これにより、主線の光ファイバケーブルの出力が低下した場合は、スイッチ装置によって予備線の光ファイバケーブルに切り換えられる。  即ち、例えば端末装置上流の伝送路（主線）が断線しても、その端末装置は確実に他の系統の中継装置を介してデータを送受信することができる。即ち、端末装置上流の障害発生に対して、フェイルセーフが作動するＣＡＴＶネットワークシステムとなる。
【００１７】
又、中継装置は、その入力部に主線の光ファイバケーブルと予備線の光ファイバケーブルを切り換える光電変換器を有したスイッチ装置を備え、主線の光ファイバケーブルの出力低下時には、スイッチ装置によって予備線の光ファイバケーブルに切り換えることとしても良い。
上記光電変換器は例えば主線の光ファイバケーブルの光出力を検知する。光出力の低下を検知したスイッチ装置は、伝送路を予備線の光ファイバケーブルに切り換える。これにより、上記のＣＡＴＶネットワークシステムが実現される。
【００１８】
又、中継装置は、その出力は電気信号であり、その少なくとも１つの出力は光電変換器と予備線の光ファイバケーブルを経由して他の中継装置のスイッチ装置に入力されることとしても良い。
この中継装置は、例えば端末装置直前の中継装置であり、例えばコンピュータ装置等の端末装置と直接送受信される。
又、出力された電気信号の少なくとも１つは再び光電変換器によって光信号に変換されて、予備線の光ファイバケーブルを経由して他の中継装置のスイッチ装置に入力される。
即ち、他の中継装置の主線の光ファイバケーブルの出力が低下しても、この予備線の光ファイバケーブルでデータ信号を送受信させることができる。  即ち、端末装置直前の中継装置、例えば需要家のネットワークシステムの入り口に設けられた中継装置を介して、他の系統の中継装置にデータ信号を送受信させることができる。即ち、他の中継装置の上流に障害があってもフェイルセーフを作動させる中継装置となる。
【００１９】
又、端末装置は、その入力部に主線の光ファイバケーブルと予備線の光ファイバケーブルを切り換える光電変換器を有したスイッチ装置を備え、主線の光ファイバケーブルの出力低下時にはスイッチ装置によって予備線の光ファイバケーブルに切り換えることとしても良い。
上記光電変換器は、主線の光ファイバケーブルの光出力を検知する。光出力の低下を検知した場合、スイッチ装置は伝送路を予備線の光ファイバケーブルに切り換える。即ち、端末装置上流に障害が生じても、他系統の中継装置を介してデータを送受信することができる。即ち、端末装置上流に障害があってもフェイルセーフを作動させる端末装置となる。
尚、請求項３〜４における予備線は、既設の光ファイバケーブルにおいて使用していない線の他、新たに敷設した光ファイバケーブルにおいて、通常のデータ伝送には使用していない線を意味する。
【００２０】
【発明の実施の形態】
以下、本発明の実施の形態について図面を参照して説明する。なお、本発明は下記実施例に限定されるものではない。
市中には、使用されていないＣＡＴＶ用の予備線の光ファイバケーブルがある。これは、実使用されている主線の光ファイバケーブルに加えて、将来の延長に備えて敷設されているものである。以下の実施例は、この予備線を使用する例である。
（第１実施例）
【００２１】
図１に本発明の予備線の光ファイバケーブルを使用したＣＡＴＶネットワークシステムを示す。図は、システム構成図である。本実施例のＣＡＴＶネットワークシステムは、主線の光ファイバケーブル１２２を使用する従来のＣＡＴＶネットワークシステムと予備線の光ファイバケーブル１３２を使用する予備線ＣＡＴＶネットワークシステムから構成される。
【００２２】
従来のＣＡＴＶネットワークシステムは、ＣＡＴＶ局１００に設けられた中央装置１１０、ＴＶ信号を光信号に変換して分配する光電変換器１２０、ＴＶ信号を伝送する主線の光ファイバケーブル１２２、その光信号を電気信号に変換する光電変換器１４０、そのＴＶ信号を増幅する双方向増幅器１４３、増幅された電気信号を伝送する同軸ケーブル１４２、そしてそのＴＶ信号を受信する需要家１４４から構成される。ここで、上記光電変換器１４０と増幅器１４３がＴＶ信号伝送装置である。
尚、従来のＣＡＴＶネットワークシステムは主にＴＶ信号が伝送されるシステムであり、それについては既知であるので詳述しない。
又、ＣＡＴＶ局１００は図示しないインターネット・インタフェースを介してインターネット網に接続されており、他のエリアの端末装置と双方向に通信可能となっている。
【００２３】
一方、本発明の主旨である予備線ＣＡＴＶネットワークシステムは、中央装置１１０からのデータ信号（電気信号）を光信号に変換する光電ハブ１３０、その信号を伝送させる予備線の光ファイバケーブル１３２、その光信号を集配する中継装置２００の一部である光ハブ１５０、光ハブ１５０から分配されて延長された延長光ファイバケーブル１５２、構内ネットワーク１６０に設けられ光信号と電気信号を変換して集配する光電ハブ１６２、光電ハブ１６２から分配されて延長されたツイストペア線１６４、そしてそのツイストペア線１６４を介してデータを送受信するコンピュータ装置等である端末装置１６６から構成される。
尚、ここでは便宜上、電気信号を集配する集配機器を単にハブ、光信号を光信号で集配する集配機器を光ハブ、光信号と電気信号を相互に変換して集配する集配機器を光電ハブと呼ぶ。
【００２４】
本発明の特徴は、上記光電変換器１４０と増幅器１４３からなるＴＶ信号伝送装置に光ハブ１５０を備えて、中継装置２００を構成したことである。そして、中継装置２００を用いて、予備線の光ファイバケーブル１３２を延長光ファイバケーブル１５２により延長して新たにＬＡＮを構成したことである。
信号の流れに従って、各構成要素の詳細と機能を説明する。ここでは、構内ネットワーク１６０の端末装置１６６と他の端末装置１６７との通信を説明する。構内ネットワーク１６０の端末装置１６６であるコンピュータ装置は、所定の通信形式（１０ＢＡＳＥ−Ｔ）でツイストペア線１６４にデータ信号を送出する。そのデータ信号は、光電ハブ１６２で光信号に変換されて、延長光ファイバケーブル１５２に送出される。この時の方式は、光をオン・オフさせて伝送させるベースバンド方式である。この信号は、中継装置２００の光ハブ１５０に入力され、予備線の光ファイバケーブル１３２に送出されてＣＡＴＶ局に送信される。
【００２５】
ＣＡＴＶ局１００の中央装置１１０は、光電ハブ１３０を介してその信号を受信する。中央装置１１０は、その信号からアドレスを読んでそのアドレスに対応した光ハブ１５０ａに、同じく光電ハブ１３０を介して光信号をベースバンド方式で送信する。光ハブ１５０ａは、更に信号のアドレスを読み光信号で端末装置１６７に伝送する。端末装置１６７は、その入力部に光電変換器１４０を備えており、それによって電気信号のベースバンド信号を得る。このようにして、構内ネットワーク１６０の端末装置１６６から他の端末装置１６７にデータが送信される。
逆に、他の端末装置１６７から構内ネットワーク１６０の端末装置１６６に送信する場合は、信号はこの逆の経路を辿ってベースバンド方式の光信号で伝送される。このように、中央装置に光電ハブ、中継装置に光ハブ、端末装置に光電変換器を設けて、予備の光ファイバケーブルを接続すれば容易にＬＡＮが形成される。
【００２６】
ケーブルモデムを使用した従来のＣＡＴＶネットワークシステムでは、その高周波データ信号に流合ノイズが混入する。本システムでは、ＴＶ受信機を接続する伝送路とは別系統の光ファイバケーブルによる光信号によるベースバンド方式で、データ信号は送受信されているので、流合ノイズの影響が極力抑制される。
又、伝送路が光ファイバケーブルであるので、周辺からの電磁誘導によるノイズ発生もない。よって、従来のようにノイズによってデータの送受信が損なわれることはない。即ち、高品質なデータ通信が保証される。
従って、予備線の光ファイバケーブルをＣＡＴＶネットワークシステムに適用すれば、従来より極めて広範囲に、また流合ノイズの多い集合住宅内でもＬＡＮを構築することができる。
【００２７】
（第２実施例）
第１実施例では、予備線の光ファイバケーブルをＣＡＴＶネットワークシステムの伝送路に使用して、流合ノイズのないＬＡＮ構築の例を示した。
第２実施例では、主線の光ファイバケーブルでＬＡＮを形成し、既設又は新たに敷設する予備線の光ファイバケーブルでそのＬＡＮのフェイルセーフシステムを構築する例を示す。尚、新たに敷設する光ファイバケーブルの場合には、予備線の意味は、通常は、データ伝送が行われていない線の意味であり、本実施例では、第１実施例における主線が予備線となっても良い。ここでは、中継装置より下流の光ファイバケーブルを延長光ファイバケーブル（主線）と予備の延長光ファイバケーブル（予備線）に分けて説明する。
【００２８】
図２に第２実施例のＣＡＴＶネットワークシステムを示す。図は構成図である。本実施例のＣＡＴＶネットワークシステムは、ＣＡＴＶ局１００、主線の光ファイバケーブル１２２、予備線の光ファイバケーブル１３２、中継装置である光ハブ１５０、構内ネットワーク１６０、端末装置１６８及び需要家１４４から構成される。
このシステムでは、光ハブ１５０にスイッチ装置１７０を含んで中継装置を構成し、主線の光ファイバケーブル１２２の断線に対してフェイルセーフとしたことが特徴である。
更に、構内ネットワーク１６０、端末装置１６８の入力部にも伝送路を切り換えるスイッチ装置１７０を取り入れ、中継装置より下流の延長光ファイバケーブル１５２の断線に対してもフェイルセーフとしたことが特徴である。
尚、第１実施例と同等の機能を有する構成要素には、同一の記号が記してある。
【００２９】
図３にスイッチ装置１７０を内蔵した光ハブ１５０の構成を示す。スイッチ装置１７０は、主線の光ファイバケーブル１２２に接続された光電変換器である光トランシーバ１７１、予備線の光ファイバケーブル１３２に接続された光電変換器である光トランシーバ１７２、両線を切り換えるスイッチ１７３から構成される。そして、光ハブ１５０は、このスイッチ装置１７０とブリッジ１５１と光電ハブ１５５から構成される。
【００３０】
データ信号の第１の迂回方法として、次の方法がある。図２において主線の光ファイバケーブル１２２がＡ点で断線されると上記光トランシーバ１７１の出力が低下し、出力低下信号がスイッチ１７３に送出される。スイッチ１７３は、その信号により他方の端子に切り換えられる。即ち、伝送路が予備線の光ファイバケーブル１３２に切り換えられる。そして、予備線の光ファイバケーブル１３２を伝送した信号は、ブリッジ１５１、光電ハブ１５５を介して次段に出力される。
このように、主線の光ファイバケーブル１２２が断線してもＣＡＴＶネットワークシステムは停止することはない。
【００３１】
又、データ信号の第２の迂回方法として、次の方法がある。図２に示す様に、１つの光ハブ１５０の出力が予備線の光ファイバケーブル１３２で他の光ハブ１５０内のスイッチ装置１７０に入力されている。このように構成しても主線の光ファイバケーブル１２２の断線にたいするフェイルセーフとなる。例えば、主線の光ファイバケーブル１２２のＢ点で断線が起こった場合、データ信号は予備線の光ファイバケーブル１３２で接続された光ハブ１５０ａを経由して送受信される。この場合も、ＣＡＴＶネットワークシステムは停止することはない。
【００３２】
さらに、データ信号の第３の迂回方法として、次の方法がある。図２に示すように、構内ネットワーク１６０の入り口にメディアコンバータとしてスイッチ装置１７０を設けている。そして、異なる光ハブ１５０の出力を延長光ファイバケーブル１５２と予備の延長光ファイバケーブル１５４を介してそのスイッチ装置１７０に接続している。即ち、１つの構内ネットワーク１６０が２つの異なる系統の光ハブ１５０（中継装置）と接続される構成である。
【００３３】
構内ネットワーク１６０の構成を図４に簡単に示す。構内ネットワーク１６０は、詳細にはスイッチ装置１７０とブリッジ１６１及びデータを選別するファイアーウォール１６２、電気的にデータを集配するハブ１６５そして端末装置１６６から構成される。
図２において、例えば延長光ファイバケーブル１５２のＣ点で断線した場合、データ信号は予備線の光ファイバケーブル１５４で接続された光ハブ１５０ａを経由して送受信される。即ち、構内ネットワーク１６０内の端末装置１６６は、ハブ１６５、ファイアウォール１６３、ブリッジ１６１、スイッチ１７３、光トランシーバ１７２、予備の延長光ファイバケーブル１５４を介して送受信する。
【００３４】
即ち、構内ネットワーク１６０内の端末装置１６６に対して、ＣＡＴＶネットワークシステムは停止することはない。即ち、延長光ファイバケーブル１５２での断線があっても構内ネットワーク１６０内の端末装置はデータの送受信が可能となる。
【００３５】
同様に、端末装置１６８の入力部にもスイッチ装置１７０が設けられ、延長光ファイバケーブル１５２と予備の延長光ファイバケーブル１５４が入力されている。この構成によれば、１つの端末装置１６８に対してもフェイルセーフシステムを作動させることができる。
このように中継装置である各光ハブ、各構内ネットワーク、各端末装置にスイッチ装置を設け、予備線の光ファイバケーブル及び予備の延長光ファイバケーブルを接続すれば、断線等の障害に対して信頼性の高いフェイルセーフシステムが実現できる。
【００３６】
上記の３種類の迂回方法は、全て用いても良いし、どれか１種類でも良いし、全ての２種類の組み合わせを用いても良い。
（変形例）
以上、本発明を表わす１実施例を示したが、他にさまざまな変形例が考えられる。
例えば、第１実施例では予備線の光ファイバケーブル１３２で構築されたＣＡＴＶネットワークシステムにおける通信を説明したが、従来のＣＡＴＶネットワークシステムの需要家とも通信可能であることは言うまでもない。  この場合は、端末装置１６６から送出された信号は、ＣＡＴＶ局１００の光電変換器１２０によって主線の光ファイバケーブル１２２に送出され、光電変換器１４０、増幅器１４３、同軸ケーブル１４２を経て需要家１４４に伝送される。
【００３７】
又、第２実施例では各光ハブ１５０を予備線の光ファイバケーブル１３２で接続したが、図５に示すように、構内ネットワーク１６０のハブ１６５の出力の１つに光トランシーバ１８０を設けて、その出力を他の光ハブ１５０ｂのスイッチ装置１７０ｂに予備の延長光ファイバケーブル１８２で入力してもよい。この構成によれば、例えば主線の光ファイバケーブル１２２のＤ点で断線が生じても、データ信号は予備の延長光ファイバケーブル１８２、構内ネットワーク１６０、光ハブ１５０ａを介して送受信できる。即ち、予備の延長光ファイバケーブル１８２によって主線の光ファイバケーブル１２２がフェイルセーフされる。このような構成としてもよい。
この第４の迂回方法を、上記の３種類の任意の１つの迂回方法、任意の２つの迂回方法の組み合わせ、及び３種類の迂回方法の組み合わせと共に用いても良い。
【００３８】
更に、第２実施例では中継装置を全て光ハブ１５０で説明したが、図６に示すように光ハブ１５０に換えてスイッチ装置１７０を有した光電ハブ１９０を配置することもできる。この場合は、出力は電気信号であるので直接需要家１４４と送受信できる。又、その電気出力を光電変換器１４０で光信号に変換すれば、予備の延長光ファイバケーブル１３２で他の中継装置１５０ａのスイッチ装置１７０に入力させることができる。これによっても、主線の光ファイバケーブルの障害に対するフェイルセーフシステムとなる。
【００３９】
又、第２実施例では光ハブ１５０を並列に接続したが、図７に示すように直列に接続してもよい。この時、図の様に予備の延長光ファイバケーブル１５４を用いて、下流の光ハブ１５０の入力と上流の光ハブ１５０の出力を接続してもよい。このように構成しても、上流の障害に対するフェイルセーフとなる。
【図面の簡単な説明】
【図１】本発明の第１実施例に係わるＣＡＴＶネットワークシステムの構成図。
【図２】本発明の第２実施例に係わるＣＡＴＶネットワークシステムの構成図。
【図３】本発明の第２実施例に係わる光ハブの構成ブロック図。
【図４】本発明の第２実施例に係わる構内ネットワークの構成図。
【図５】本発明の変形例に係るＣＡＴＶネットワークシステムの構成図。
【図６】本発明の第２実施例の変形例に係るＣＡＴＶネットワークシステムの構成図。
【図７】本発明の第２実施例の変形例に係るＣＡＴＶネットワークシステムの構成図。
【図８】従来のＣＡＴＶネットワークシステムの構成図。
【符号の説明】
１００          ＣＡＴＶ局
１１０          中央装置
１２０          光電変換器
１２２、１３２  光ファイバケーブル
１４０          光電変換器
１４２          同軸ケーブル
１４４          需要家
１５０          光ハブ
１５５          光電ハブ
１５２          光ファイバケーブル
１６０          構内ネットワーク
１６２          光電ハブ
１６４          ツイストケーブル
１６５          ハブ
１６６、１６７  端末装置
１６８          端末装置
１７０          スイッチ装置
１９０          光電ハブ
【図１】
0003717366.tif 000002
【図２】
0003717366.tif 000003
【図３】
0003717366.tif 000004
【図４】
0003717366.tif 000005
【図５】
0003717366.tif 000006
【図６】
0003717366.tif 000007
【図７】
0003717366.tif 000008
【図８】
0003717366.tif 000009